(57)【要約】      （修正有）【課題】揺れや振動の多い乗り物内や、風のある屋外にも対応する揺動型置物における鑑賞物の保持構造を提供する。【解決手段】台座１０から上方に立設した所定長さの弾性部１０ａと、鑑賞物１１の重心直下に位置する脚部１１ａの先端側に配設した係止部１１ｂとから構成され、弾性部１０ａを介して係止部１１ｂを台座１０に固定して、鑑賞物１１を重心上の一点である脚部１１ａ周りに揺動自在に自立させる。【効果】弾性部１０ａの介在により乗り物内における台座１０および鑑賞物１１の振動や揺れによる鑑賞物１１の過度な揺動を防止すると共に、鑑賞物１１の落下を防止できる。さらに、鑑賞物１１の揺動がより複雑となり楽しめる。【選択図】図１
0003128979.tif 000002
【実用新案登録請求の範囲】
【請求項１】
鑑賞物の重心直下に位置する脚部を台座上に載置して、鑑賞物を脚部周りに揺動自在に自立させる揺動型置物において、所定の曲げ弾性および圧縮弾性を有し、一端側を台座側に固定した所定長の弾性部と、屈曲状態から直線状態への復元性を有し、一端側を脚部側に固定した所定長の線材からなる係止部とから構成され、上記弾性部を介して上記係止部の他端側を台座側に固定したことを特徴とする揺動型置物における鑑賞物の保持構造。
【請求項２】
鑑賞物の重心直下に位置する脚部を台座上に載置して、鑑賞物を脚部周りに揺動自在に自立させる揺動型置物において、所定の曲げ弾性および圧縮弾性を有し、一端側を台座側に固定した所定長の弾性部と、屈曲状態から直線状態への復元性を有し、一端側を脚部側に固定した所定長の線材からなる係止部とから構成され、上記弾性部に上記係止部を軸支持したことを特徴とする揺動型置物における鑑賞物の保持構造。
【考案の詳細な説明】
【技術分野】
【０００１】
本考案は、重心上の一点の周りに揺動する揺動型置物における鑑賞物の保持構造に関する。
【背景技術】
【０００２】
従来から、台座上の鑑賞物が自立して自然にバランスをとり、揺動後に直立状態に復元する揺動型置物が知られている。
【特許文献１】公開実用昭和５３−８１１９２
【考案の開示】
【考案が解決しようとする課題】
【０００３】
このような揺動型置物における鑑賞物の動作は、家屋内で鑑賞することを想定していることが多い。そのため、台座自体が揺れ動く自動車や飛行機あるいは船の中では、台座側の揺れや振動により台座上の鑑賞物が過度に揺れ動いて落下してしまう問題がある。また、鑑賞物が強い風を受けて落下してしまう問題もある。加えて、台座上の鑑賞物は水平方向に自由回転可能であるため、台座に対する鑑賞物の配置に方向性を持たせたい場合には都合が悪い。
【課題を解決するための手段】
【０００４】
本考案者は、揺れや振動の多い乗り物内や風が吹く屋外等にも対応する新規な揺動型置物における鑑賞物の保持構造を提供するものである。
本考案の第一構成は、鑑賞物の重心直下に位置する脚部を台座上に載置して、鑑賞物を脚部周りに揺動自在に自立させる揺動型置物において、所定の曲げ弾性および圧縮弾性を有し、一端側を台座側に固定した所定長の弾性部と、屈曲状態から直線状態への復元性を有し、一端側を脚部側に固定した所定長の線材からなる係止部とから構成され、上記弾性部を介して上記係止部を台座側に固定したことを特徴とする。
【０００５】
本考案の第二構成は、鑑賞物の重心直下に位置する脚部を台座上に載置して、鑑賞物を脚部周りに揺動自在に自立させる揺動型置物において、所定の曲げ弾性および圧縮弾性を有し、一端側を台座側に固定した所定長の弾性部と、屈曲状態から直線状態への復元性を有し、一端側を脚部側に固定した所定長の線材からなる係止部とから構成され、上記弾性部に上記係止部を軸支持したことを特徴とする。
【０００６】
本考案の第一構成および第二構成により、鑑賞物や台座に対して揺れや振動等の過大な外力が加わると、水平方向の外力の一部は弾性部の曲げ弾性（屈曲させようとする外力を減衰させて水平方向における初期位置に復帰させる弾性）により吸収され、垂直方向の外力の一部は弾性部の圧縮弾性（伸縮させようとする外力を減衰させて垂直方向における初期位置に復帰させる弾性）により吸収されるが、鑑賞物自身による重心上の一点の周りに揺動する自立的な揺動に弾性部の揺動が加わり、鑑賞物が複雑な動きをすることとなり楽しめるものである。過大な外力が除去された後は、鑑賞物自身により重心上の一点の周りに揺動する自立的な揺動のみとなる。この弾性部の曲げ弾性は、鑑賞物の重量を勘案して、鑑賞物が自然な周期で揺動するように設定される。弾性部の圧縮弾性についても、鑑賞物の重量により弾性部が傾いてしまわないように鑑賞物の重量を勘案して設定される。弾性部としては、コイルばね、ゴムなどが使用可能である。
また係止部としては、樹脂線材である釣用テグス糸、金属線材であるピアノ線などが使用可能である。係止部のねじり弾性は、鑑賞物の形状に起因する風の影響の受け具合や、鑑賞物が所定角度軸回転した後に初期位置へ軸回転させる際の軸回転モーメント等を勘案して、弾性部の曲げ弾性および伸縮耐力とは独立的に設定される。
【０００７】
また、本考案の第一構成では、弾性部を介して係止部を台座側に固定しているため、風の影響などにより鑑賞物に係止部を回転軸とする軸回転方向の外力が生じた場合、係止部のねじり弾性が作用するため、外力が取り除かれると鑑賞物は台座に対して初期設定方向に戻る。本考案の第二構成では、弾性部に係止部を軸支持しているため、風の影響などにより鑑賞物に係止部を回転軸とする軸回転方向の外力が生じた場合、鑑賞物が係止部周りに軸回転自在となる。
【考案の効果】
【０００８】
本考案の揺動型置物における鑑賞物の保持構造により、鑑賞物に対して過大な外力が加えられた場合でも、揺動方向の外力の一部は弾性部により吸収されて、鑑賞物に過大な力を作用させることなく揺動させることができ、鑑賞物が台座から落下することもなく、鑑賞物の揺動がより複雑となり楽しめる。
さらに、本考案の第一構成を採用した場合、鑑賞物が係止部周りに軸回転した後に外力が取り除かれると鑑賞物は台座に対して初期設定方向に復帰することができ、台座に対する鑑賞物の配置に方向性を持たせたい場合に好適である。また、本考案の第二構成を採用した場合、鑑賞物を係止部周りに軸回転自在として、台座に対して初期設定方向に復帰させないようにすることもできる。本考案の保持構造を採用することで、従来の揺動型置物では不適合な風の強い屋外、自動車内などにも揺動型置物を設置できることとなり、その産業的効果は極めて顕著である。
【考案を実施するための最良の形態】
【０００９】
以下、本考案の具体的実施形態について図面に基づき詳細に説明することにする。図１は本実施例の揺動型置物における鑑賞物の組立て説明図、図２および図３は本実施例の揺動型置物における鑑賞物の保持構造の説明図、図４は本実施例の揺動型置物における鑑賞物の作動説明図である。
【実施例】
【００１０】
本実施例の揺動型置物１（以下、「置物」と略記。）は、台座１０、弾性部１０ａ、鑑賞物１１、係止部１１ｂとから構成している。台座１０は、所定高さを有する円錐体としている。台座１０の頂点からは圧縮コイルばねを立設して弾性部１０ａとしている。この弾性部１０ａの曲げ弾性は、鑑賞物１１の重量を勘案して、鑑賞物１１が自然な周期で揺動するように設定している。また、弾性部１０ａの圧縮弾性については、鑑賞物１１の重量により弾性部１０ａが傾いてしまわないように鑑賞物１１の重量を勘案して設定している。本実施例の鑑賞物１１は重心上の一点である脚部１１ａの周りに自立して揺動するとんぼ型としている。鑑賞物１１の脚部１１ａの先端側には、弾性部１０ａと同程度の長さの釣用のテグス糸の一端側を垂下するように固定して係止部１１ｂとしている。この係止部１１ｂのねじり弾性は、鑑賞物１１の形状に起因する風の影響の受け具合や、鑑賞物１１が所定角度軸回転した後に初期位置へ軸回転させる際の軸回転モーメント等を勘案して、弾性部１０ａの曲げ弾性および伸縮耐力とは独立的に設定している。係止部１１ｂの他端側は弾性部１０ａであるコイルばねの内部空間を介して台座１０側に固定して揺動型置物における鑑賞物の保持構造としている（図１、図２）。
【００１１】
上記構成による揺動型置物１における鑑賞物１１の保持構造の作用としては、鑑賞物１１や台座１０に対して揺れや振動等の過大な外力が加わると、水平方向の外力の一部は弾性部１０ａの曲げ弾性により吸収され、垂直方向の外力の一部は弾性部１０ａの圧縮弾性により吸収される（図３）。過大な水平方向および（または）垂直方向の外力が除去された後は、鑑賞物１１自身により重心上の一点である脚部１１ａの先端側の周りに揺動する自立的な揺動となる（図４）。
風の影響などにより鑑賞物１１が水平方向に回転した場合、係止部１１ｂのねじり弾性が作用するため、軸回転方向の外力が取り除かれると鑑賞物は台座１０に対して初期設定向きに復帰する。台座１０や鑑賞物１１を介した弾性部１０ａへの外力の入力がなくなれば、弾性部は元の直立状態に復帰することとなる。
また、弾性部１０ａを介して係止部１１ｂの先端側を台座１０側に固定せず、係止部１１ｂの他端側を弾性部１０ａであるコイルばねの内部空間に軸支持して、風の影響などにより鑑賞物１１に軸回転方向の外力が生じた場合、鑑賞物１１が係止部周りに軸回転自在となるようにしてもよい（図示省略）。なお、本実施例における台座１０、鑑賞物１１の形状により、本考案の技術的思想を限定して解釈してはならないことは当然である。
【図面の簡単な説明】
【００１２】
【図１】本実施例の揺動型置物における鑑賞物の組立て説明図。
【図２】本実施例の揺動型置物における鑑賞物の保持構造の説明図。
【図３】本実施例の揺動型置物における鑑賞物の保持構造の説明図。
【図４】本実施例の揺動型置物における鑑賞物の作動説明図。
【符号の説明】
【００１３】
１      置物
１０      台座
１０ａ    弾性部
１１      鑑賞物
１１ａ    脚部
１１ｂ    係止部
【図１】
0003128979.tif 000003
【図２】
0003128979.tif 000004
【図３】
0003128979.tif 000005
【図４】
0003128979.tif 000006